(57)【要約】  光起電（ＰＶ）パネル・アレイのための取付けシステムは、据え付けの容易さ、移動の柔軟性、および必要に応じてシステムを除去しかつ再配置する能力を可能にする。取付けシステムは、グリッド方式で基板に固定される複数の孤立取付け台と、平行に孤立取付け台上に固定される細長い取付けレールと、ＰＶパネルの対向する側縁部に固定される装着レールとを含む。装着レールおよび取付けレールは、ＰＶパネルを取付けレール間にかつ基板の上に懸架するように連結する嵌合対合形成物を含む。
2014529697.tif 000002
【特許請求の範囲】
【請求項１】
所定の間隔で線形アレイに基板に固定できるベース部をそれぞれが有する複数の孤立取付け台であって、前記ベース部から上方に延びるネック部をさらに有する複数の孤立取付け台と、
少なくとも１つの側縁部を含む中央スパインおよび前記孤立取付け台の前記間隔に一致する所定の間隔で前記中央スパインに沿って長手方向に配置される複数の開口部を有する取付けレールであって、前記基板上の前記孤立取付け台の前記ネック部に支持され、前記複数の孤立取付け台に固定される取付けレールと、
ＰＶパネルの側縁部がその上に着座し固定される内側ランド部および外側保持タブ部を有する装着レールとを含み、
前記取付けレールの前記中央スパインの前記少なくとも１つの側縁部および前記装着レールの前記外側保持タブ部は、取り外し可能に受け入れられかつ一緒に固定される嵌合対合形成物（ｉｎｔｅｒｆｉｔｔｉｎｇ  ｍａｔｉｎｇ  ｆｏｒｍａｔｉｏｎ）を含み、それによって前記ＰＶパネルは、前記取付けレールに取り外し可能に固定される、
光起電パネルのための取付けシステム。
【請求項２】
前記取付けレールは、中央スパインおよび前記中央スパインの対向する側で向かい合った外向きに面する取付けチャネルを有する雌型トラックを含み、
さらに前記装着レールは、前記雌型トラックでの前記向かい合った取付けチャネルの１つに受け入れられる外側保持タブ部を有する雄型トラック・インサートを含み、それによって前記ＰＶパネルは、前記雌型トラックに固定される、
請求項１に記載の取付けシステム。
【請求項３】
前記取付けレールでの前記開口部を通って受け入れられかつ対応して整列した孤立取付け台の前記ネック部に固定される複数の締結具をさらに含み、それによって前記取付けレールは、前記孤立取付け台に固定される、請求項１に記載の取付けシステム。
【請求項４】
前記締結具は、ねじ付きのボルトおよびキャップ・ナットであり、前記キャップ・ナットが、前記孤立取付け台の前記ネック部に受け入れられ、前記ねじ付きボルトが、前記取付けレールでの前記開口部を通って前記孤立取付け台の前記ネック部での前記キャップ・ナットに受け入れられる、請求項３に記載の取付けシステム。
【請求項５】
前記雄型インサートの前記保持タブおよび前記雌型トラックの前記取付けチャネルは、嵌合係止形成物を含む、請求項２に記載の取付けシステム。
【請求項６】
保持部、および前記保持部から外向きにかつ下方に延びる遮蔽部を有する風遮蔽板をさらに含む、請求項１に記載の取付けシステム。
【請求項７】
前記取付けレールは、ワイヤ管理チャネルを含む、請求項１に記載の取付けシステム。
【請求項８】
前記雌型トラックは、前記向かい合った取付けチャネルの１つの下側から下方に延びるＪ字形ワイヤ管理チャネルを含む、請求項２に記載の取付けシステム。
【請求項９】
前記孤立取付け台の前記ベース部の直径よりも大きい直径を有する複数の環状接合リングをさらに含み、前記接合リングが、前記孤立取付け台の前記ネック部を越えて受け入れられる中央開口部を有し、前記接合リングが、前記孤立取付け台を前記基板に固定するために前記基板に接合される、請求項１に記載の取付けシステム。
【請求項１０】
前記基板は、エラストマー・メンブレンであり、前記取付けシステムがさらに、エラストマー・メンブレン材料から形成されかつ前記孤立取付け台の前記ベース部の直径よりも大きい直径を有する複数の環状接合リングを含み、前記接合リングが、前記孤立取付け台の前記ネック部を越えて受け入れられる中央開口部を有し、前記エラストマー・メンブレン接合リングが、前記孤立取付け台を前記メンブレンに固定するために前記メンブレンに接合される、請求項１に記載の取付けシステム。
【請求項１１】
前記複数の孤立取付け台は、所定の間隔をあけてキャリア・テープに接合される、請求項１に記載の取付けシステム。
【請求項１２】
前記基板は、エラストマー・メンブレンであり、前記複数の孤立取付け台が、所定の間隔をあけてエラストマー・メンブレン・キャリア・テープに接合される、請求項１に記載の取付けシステム。
【請求項１３】
所定の間隔で複数の開口部を有する接合テープをさらに含み、前記複数の開口部が、前記孤立取付け台の前記ネック部を越えて受け入れられ、前記接合テープが、前記孤立取付け台を前記基板に固定するために前記基板に接合される、請求項１に記載の取付けシステム。
【請求項１４】
前記基板は、エラストマー・メンブレンであり、前記取付けシステムがさらに、所定の間隔で複数の開口部を有する接合テープを含み、複数の開口部が、前記孤立取付け台の前記ネック部を越えて受け入れられ、前記接合テープが、前記孤立取付け台を前記メンブレンに固定するために前記メンブレンに接合される、請求項１に記載の取付けシステム。
【請求項１５】
前記複数の孤立取付け台は、キャリア・ストラップに接合される、請求項１に記載の取付けシステム。
【請求項１６】
前記装着レールはさらに、前記ランド部と前記保持部との間で上方に延びる分離肩部を含む、請求項１に記載の取付けシステム。
【請求項１７】
所定の間隔で配置される複数の開口部を含む中央スパインと、
少なくとも１つの外向きに面する取付けチャネルと
を含む、光起電パネルのための取付けレール。
【請求項１８】
前記少なくとも１つの取付けチャネルの下側から下方に延びるワイヤ管理チャネルをさらに含む、請求項１７に記載の取付けレール。
【請求項１９】
前記ワイヤ管理チャネルは、Ｊ字形である、請求項１８に記載の取付けレール。
【発明の詳細な説明】
【技術分野】
【０００１】
本発明は、光起電（ＰＶ）アレイに関し、より詳しくは屋根ふき材、貯水池カバー、ならびに埋立地および遊休地（ｂｒｏｗｎｆｉｅｌｄ）の上の露出したジオメンブレン（ｇｅｏｍｅｍｂｒａｎｅ）・カバーを含むジオメンブレン応用に商業規模のソーラー・パネル・アレイを配置するための取付けシステムに関する。
【背景技術】
【０００２】
ソーラー・アレイを配置することの経済性を改善することは、屋上、貯水池、埋立地および遊休地などの資産の設備所有者および／または管理者にとってこれらの資産に商業規模の光起電（ＰＶ）ソーラー・パネル・システムを配置することを魅力的にする。埋立地および遊休地の応用では、露出したジオメンブレン・キャップ（ＥＧＣ）に直接ソーラー・アレイを配置することは、従来の埋立地に必要とされる２フィートの植生層の据え付けおよび保守と関連するコストの解消によりさらなる節約をもたらす。図１を参照すると、従来の草をかぶせた埋立地カバー・システムが、右側に示される。ジオメンブレン・キャップは、１０で示される。ジオメンブレン１０の下には、廃棄物、中間被覆層および最終整地層がある。草をかぶせたカバー・システムは、ジオメンブレン１０の上に排水媒体、支持土、表土、および草の追加の層を必要とする。最上部にある草の保守は、継続する費用である。
【０００３】
図１の左側には、ジオメンブレン１０の表面に直接接着された柔軟なソーラー・パネル１２を含むＥＧＣシステムがある。これらなどのソーラー・カバーを配備することは、何年間も自然の力にさらされたままでありかつ柔軟な光起電パネルを接着するための基板としての機能を果たすことが可能なジオメンブレン材料を必要とする。これらのカバー・システムでは、露出したジオメンブレンは、埋立地の中に直接固定され、ソーラー・パネルは、メンブレンの表面に直接接着される。隣り合った図から、草、表土および植生土層の解消は、埋立地を閉じるために蓄積されてもよい廃棄物の量を大幅に増加させることになることが、認識されてもよい。コンクリート土台を持つ金属フレーム上のガラスで封入された堅いパネルを使用する従来のソーラー・パネルは、埋立地へのこれらのシステムの重量のためにあまり望ましくない。従来のアレイ・システムの重量および必須の剛性は、下にある廃棄物の不等沈下と相まって、パネルの破損を引き起こす可能性があるアレイの移動を引き起こす。２０年の配置の間に、カバーの下の廃棄材料は、大幅に沈下し、メンブレンおよび光起電パネルの両方の移動を引き起こすことになる。
【０００４】
したがって、露出したメンブレン上にソーラー・パネルを配置する従来技術の方法は、柔軟なパネル（図１および図２を参照のこと）を使用し、その柔軟なパネル１２をジオメンブレン１０の表面に接着性裏当てを使用して直接接着することに焦点を合わせてきた。柔軟なジオメンブレン１０および柔軟なパネル１２は、時間とともに廃棄材料が沈下することに備えるのにより良く適していると考えられた。パネルの柔軟性および移動は、長期間にわたる配置に極めて重要である。
【０００５】
パネルを直接メンブレンに接着することへの初期の試みは、いくらかの成功を収めた。現在全国で運用中であるいくつかの配置されたシステムがある。しかしながら、パネルを直接メンブレンに接着することへの明らかな欠点もまたある。直面している主な欠点は、パネルおよびジオメンブレンの保守、ならびにパネルに欠陥がある、またはパネルが損傷した場合にはパネルの修理または交換である。パネルは、自然の力に耐えるように設計されるが、パネルは、長い期間にわたって損傷を受け、交換する必要があることになるという重大なリスクがなおある。パネルは、柔軟であるけれども、廃棄材料の沈下は、メンブレンの移動をもたらし、極めて大きい応力を接着されたパネルにかけ、接着の不具合を引き起こし、パネルの再接着またはパネル交換を必要とする。加えて、接着がジオメンブレンの移動を制約するところでの熱膨張に起因して、接着されたパネルがメンブレンを引き裂くということに関する周知の問題がある。パネルの熱膨張係数は、メンブレンのそれと異なる。高温および低温の両方において、メンブレンに対するパネルの膨張または収縮は、接着層にせん断応力を引き起こし、パネル、ジオメンブレンおよび／または接着層の不具合をもたらす可能性がある。
【０００６】
別の欠点は、設備が何らかの理由でその除去を必要とする場合に、ソーラー・アレイを再配置することができないことである。このことは、パネルがメンブレンに直接接着されるときは可能でない。例えば、ある埋立地管理者は、永続的な接着システムの経済性がもたらすことができるよりも短期間での配備を必要とする段階的に自らの設備を計画し、開発する。容易に除去され、再配置されてもよいソーラー・アレイは、管理者がＥＧＣに短期間で装着し、次いでアレイを除去して異なる場所に再配置することを可能にすることになる。このことは、パネルがメンブレンに直接接着されるときは実行可能でない。
【発明の概要】
【発明が解決しようとする課題】
【０００７】
したがって、不具合を低減しかつ交換を容易にするために、必要ならメンブレンに対するパネルの移動を可能にすることになる取付けシステムの必要性が、産業界にあると考えられる。
【課題を解決するための手段】
【０００８】
本発明は、据え付けの容易さ、移動の柔軟性、および必要に応じてシステムを除去しかつ再配置する能力を可能にすることになる、独自でかつ新規の低コスト取付けシステムを提供する。本発明の教示による取付けシステムは一般に、平行グリッド方式で基板（ジオメンブレン）に固定される複数の孤立取付け台と、平行に孤立取付け台上に固定される細長い取付けレール（雌型トラック）と、ＰＶパネルの対向する側縁部に固定されるか、ＰＶパネルに組み込まれるかまたはＰＶパネルのための支持キャリアに組み込まれる装着レール（雄型トラック・インサート）とを含む。雄型トラック・インサートは、ソーラー・パネルをトラック間にかつ基板（ジオメンブレン）の上に懸架するために雌型トラックの対向する側縁部の取付けチャネルに摺動可能に受け入れられる。取付けレールおよび装着レールの形状は、広範囲に変化してもよく、特定のアレイの要件によって決定される。
【０００９】
孤立取付け台は、ベース部、ベース部から上方に延びるネック部およびネック部に受け入れられる締結具を含む。
【００１０】
孤立取付け台は、接着接合、超音波溶接、または環状接合リングを含むがそれらに限定されない、複数の異なる装着方法を使用してメンブレンに固定されてもよい。
【００１１】
孤立取付け台のベース部はまた、孤立取付け台をメンブレン上に平行ストリップ状に素早くかつ容易に据え付けることができるように、所定の間隔をあけてテープ・キャリアに接合されてもよい。テープ・キャリア材料は好ましくは、テープ・キャリアがメンブレンに容易に接合されてもよいように、メンブレンと同じまたは同様のものである。別法として、接合テープは、所定の間隔で形成された複数の穴を提供されてもよい。
【００１２】
孤立取付け台はまた、より堅いキャリア・ストラップに接合されてもよく、そのストラップは、建物の屋根または締結具を備えた車両の屋根などの、下にある表面にそのストラップが固定されてもよい他の取付け構成で使用されてもよい。
【００１３】
取付けレール（雌型トラック）は、中心線に沿って長手方向に間隔のあいた複数の穴および／または細長いスロットを有する細長いスパインを含む。使用時には、孤立取付け台は、トラックでの穴／スロットの間隔に一致するように間隔をあけられる。据え付けられるときは、穴／スロットは、孤立取付け台と整列し、締結具が、穴／スロットを通ってネック部の最上部に挿入される。細長いスロットは、孤立取付け台に対する取付けレールの摺動移動を提供する。好ましい実施形態では、装着レールの対向する側縁部は、相補的装着レール（雄型トラック・インサート）を受け入れる対称的に向かい合った取付けチャネルを提供される。装着レールは、ＰＶパネルの側縁部がその上に着座する内側ランド部を有する。ＰＶパネルは、リベットもしくは他の締結具を使ってトラック・インサートに固定されるまたは接着剤を使って接合される。装着レールはさらに、取付けレールでの取付けチャネルに受け入れられる外側保持タブを有する。装着レールおよび取付けレールは、装着レールが取付けレールでの取付けチャネル内に捕捉されたままであることを確実にするために嵌合保持形成物（ｉｎｔｅｒｆｉｔｔｉｎｇ  ｒｅｔａｉｎｉｎｇ  ｆｏｒｍａｔｉｏｎ）を含む。
【００１４】
取付けシステムはさらに、パネル・アレイの外縁部に利用される風遮蔽板を含む。風遮蔽板は、取付けレールでの取付けチャネルに受け入れられる保持タブ部および空気の流れをＰＶパネルの上方へかつ越えて向け直すように外向きにかつ下方に延びる遮蔽部を有する。
【００１５】
取付けシステムはさらに、向かい合った取付けチャネルを含み、かつレールの片側から下方に延びるＪ字形のワイヤ管理チャネルをさらに含む別個のワイヤ管理取付けレールを含んでもよい。配線は、チャネルのフック部内に受け入れられる。
【００１６】
したがって、本発明の目的の中には、安価であるＰＶパネル取付けシステムの提供がある。
【００１７】
本発明の別の目的は、据え付けることが容易であるＰＶパネル取付けシステムを提供することである。
【００１８】
本発明のなお別の目的は、必要なときにＰＶパネルが容易に再構成され、除去されまたは交換されることを可能にすることになる取付けシステムを提供することである。
【００１９】
本発明のなお別の目的は、ＰＶパネルおよびメンブレンの相対移動を可能にすることになり、それ故にＰＶパネルおよびメンブレンの両方への損傷の可能性を低減する取付けシステムを提供することである。
【００２０】
本発明の他の目的、特徴および利点は、添付の説明図に関連して考察されるとき、その説明が進むにつれて明らかになろう。
【００２１】
図面は、本発明を実行するために現在企図されている最良の形態を例示する。
【図面の簡単な説明】
【００２２】
【図１】２つの従来技術の埋立地カバー・システムの説明図である。
【図２】メンブレンの表面に直接接着された柔軟な積層ソーラー・パネルを有する従来技術の露出したジオメンブレン・カバー・システムの画像である。
【図３】本発明の教示に従って構築された孤立取付け台の斜視図である。
【図４】孤立取付け台の上面図である。
【図５】図４の線５−５に沿った孤立取付け台の横断面図である。
【図６】本発明の教示に従って構築された雌型取付けレールおよび雄型装着レールの横断面端面図、その上面図である。
【図７】ジオメンブレンに装着された完全な取付けシステムの横断面図である。
【図８】雌型取付けレールおよび風遮蔽板の横断面端面図である。
【図９】ジオメンブレンに装着された、風遮蔽板を含む取付けシステムの横断面図である。
【図１０】ジオメンブレンに装着された、ワイヤ管理レールおよび風遮蔽板を含む取付けシステムの横断面図である。
【図１１Ａ】キャリア・テープに装着された複数の孤立取付け台の斜視図である。
【図１１Ｂ】キャリア・ストラップに装着された複数の孤立取付け台の斜視図である。
【図１１Ｃ】複数の孤立取付け台と間隔のあいた複数の開口部を含む接合テープとを含む装着システムの斜視図である。
【図１２】本発明による環状接合リングの上面図である。
【発明を実施するための形態】
【００２３】
本発明は、据え付けの容易さ、移動の柔軟性、および必要に応じてシステムを除去しかつ再配置する能力を可能にさせることになる、独自でかつ新規の低コストＰＶアレイ取付けシステムを提供する。
【００２４】
説明を進める前に、本明細書での取付けシステムは、パネルの長さまたは幅にかかわらず、柔軟なＰＶパネルならびに堅いＰＶパネルを含む、あらゆる種類の光起電（ＰＶ）パネル１００で使用される能力があることが、理解されるべきである。本システムは、実質的に任意の構成で配置される柔軟性を有する。ＰＶパネル１００に付随する電気システムは、一般に当技術分野で周知であり、たとえ取付けシステムがパネルの所要の配線を受け入れるという記述があることになっても、本明細書で詳細に述べられないことになることもまた留意されたい。
【００２５】
図３〜図１２を参照すると、本発明の教示による取付けシステムは一般に、平行グリッド方式で基板１０（すなわち、ジオメンブレン）に固定される複数の孤立取付け台１０２（図３〜図５）と、平行に孤立取付け台１０２に固定される細長い取付けレール１０４（図６）と、ＰＶパネル１００の対向する側縁部に固定される装着レール１０６とを含む。取付けレールおよび装着レールという用語は、本システムでのレールの相対的配置を規定することを意図され、これらのレールは、応用に応じて雄型または雌型のこともあり得ることが、理解されるべきである。本明細書で示される例となる実施形態は、雌型トラックおよび雄型トラック・インサートであるが、本開示は、その構成だけに限定されるべきでない。取付けレールおよび装着レールの形状は、広範囲に変化してもよく、特定のアレイの要件によって決定される。例となる実施形態では、装着レール（雄型トラック・インサート）１０６は、ソーラー・パネル１００を取付けレール１０４の間にかつ基板１０の上に懸架するために平行な取付けレール（雌型トラック）１０４の対向する側縁部での取付けチャネルに摺動可能に受け入れられる（図７を参照のこと）。
【００２６】
例示および説明のために、本明細書での好ましい実施形態は、遊休地または埋立地を覆うジオメンブレンなどのエラストマー・メンブレン（ｅｌａｓｔｏｍｅｒｉｃ  ｍｅｍｂｒａｎｅ）１０への取付けに関連して述べられることになる。しかしながら、取付けシステムはまた、建物または車両の屋根などの、メンブレンで覆われた他の基板上に配置されてもよいことが、認識されるべきである。加えて、他の取付けオプションが、メンブレンで覆われない基板について述べられることになる。
【００２７】
図３〜図５に戻って参照すると、孤立取付け台１０２は、ベース部１０８、ベース部１０８から上方に延びるネック部１１０およびネック部に受け入れられる締結具１１２／１１４を含む。示されるような例となる実施形態では、ねじ付きキャップ・ナット１１２が、ねじ付き締結具１１４を受け入れるためにネック部１１０の最上部に挿入されるまたは成形される。別法として、ねじ付き締結具１１４が、ネック部１１０の最上部に挿入されまたは成形され、キャップ・ナット１１２が、締結具上に受け入れられることもあり得る。加えて、様々なさらなる種類の締結具１１２／１１４もまた、本開示の範囲内で可能である。さらに、締結具要素は、孤立取付け台１０２への取付けレール１０４の直接装着のために取付けレール１０４に直接組み込まれてもよいことが、企図されている。
【００２８】
孤立取付け台１０２は、装着応用によって決まるような様々な形状で製造されてもよく、また装着応用によっても決まるように、堅い材料またはエラストマー材料から作られてもよい。エラストマー材料が、孤立取付け台１０２のために使用される場合、エラストマー材料は、そのネック部１１０が応力の下で曲がることを可能にし、一貫したグリッド・アレイを維持しながらかなりの量の移動の柔軟性を提供する。例示されるような好ましい形状は、構造的安定性を提供し、固定用プラットフォームを提供するために大きな底部表面を持つ円錐体である。
【００２９】
図７および図１２を参照すると、孤立取付け台１０２は、接着接合、超音波溶接、または環状接合リングを含むがそれらに限定されない、複数の異なる装着方法を使用してメンブレンに固定されてもよい。示されるような例となる実施形態では、孤立取付け台１０２は、中央開口部１１８を有する環状接合リング１１６を使用してメンブレン１０に固定される。接合リング１１６は、ベース部１０８よりも大きい直径を有し、接合リング１１６がメンブレン１０に接合されてもよいように、メンブレン材料と同じまたは同様の材料でできている。例えば、接合リング材料は、ＴＰＯ、ＰＰ、ＰＥ、ＥＰＤＭまたは下にあるメンブレンに接合される能力がある他の適切な材料の設計されたメンブレンを含むこともあり得る。
【００３０】
使用時には、接合リング１１６は、孤立取付け台１０２のネック部１１０を越えて受け入れられ、従来のメンブレン接合材料または方法を使用してメンブレン１００に接合され、それによってベース部１０８を捕捉し、それを所定の位置に保持する（図７を参照のこと）。
【００３１】
図１１Ａを参照すると、孤立取付け台１０２のベース部１０８はまた、孤立取付け台１０２がメンブレン１０上に平行ストリップ状に素早くかつ容易に据え付けられてもよいように、所定の間隔をあけてテープ・キャリア１２０に接合されてもよい。テープ・キャリア１２０は好ましくは、テープ・キャリア１２０がメンブレン１０に容易に接合されてもよいように、メンブレン１０と同じ材料または同様の材料から作られる。別法として、テープ・ストリップ１２２が、所定の間隔で形成された複数の穴を提供されてもよく（図１１Ｃを参照のこと）、その場合孤立取付け台１０２は、その穴を通って挿入され、そのベース部１０８は、テープ・ストリップ１２２の下に保持される。テープ・ストリップ１２２もまた好ましくは、テープ・ストリップ１２２がメンブレン１０に容易に接合されてもよいように、メンブレン１０と同じ材料または同様の材料から作られる。
【００３２】
さらに、孤立取付け台１０２はまた、より堅いキャリア・ストラップ１２４に接合されてもよく（図１１Ｂ）、そのストラップ１２４は、ストラップ１２４が建物の屋根、コンクリート平板、または締結具を備えた車両の屋根（図示されず）などの、任意の堅い下にある基板に固定されてもよい他の取付け構成で使用されてもよい。
【００３３】
図６および図７を今から参照すると、取付けレール１０４は、中心線に沿って長手方向に間隔のあいた複数の穴１２８および／または細長いスロット１３０を有する細長いスパイン１２６を含む。使用時には、孤立取付け台１０２は、取付けレール１０４での穴／スロットの間隔に一致するように間隔をあけられる。据え付けられるときは、穴／スロットは、孤立取付け台１０２と整列し、締結具１１４（図７）が、その穴／スロットを通ってネック部１１０の最上部でのキャップ・ナット１１２に挿入される。細長いスロット１３０は、孤立取付け台１０２に対するトラック１０４の長手方向摺動移動を提供する。別の代替案（図示されず）では、孤立取付け台１０２のインサートは、必要ならばさらなる可動範囲を提供するためにネック部１１０に対して回転することになる旋回アーム（図示されず）を含んでもよいことが、企図されている。取付けレール１０４の少なくとも片側は、装着レール１０６を受け入れるための取付けチャネルを提供される。例となる実施形態では、取付けレール１０４の対向する側縁部は、相補的装着レール１０６を受け入れる、対称的に向かい合った取付けチャネル１３２、１３４を提供される。
【００３４】
装着レール１０６は一般に、ＰＶパネル１００の側縁部がその上に着座する内側ランド部１３６を有する細長いストリップを含む。ＰＶパネル１００は、リベット１３８もしくは他の締結具を使って装着レール１０６のランド部１３６に固定されるまたは接着剤を使って接合される。別法として、装着レール１０６は、ＰＶパネルの構造物に統合されてもよく、またはＰＶパネル１００のための支持キャリア（図示されず）に統合されてもよい。装着レール１０６はさらに、取付けレール１０４での取付けチャネル１３２、１３４に受け入れられる外側保持タブ部１４０を含む。ランド部１３６をタブ部１４０から分離するのは、パネル１００および取付けレール１０４との装着レール１０６の位置合わせを容易にする、高くなった肩部１４２である。装着レール１０６および取付けチャネル１３２、１３４は、装着レール１０６が取付けチャネル１３２、１３４内に捕捉されたままであることを確実にするために嵌合係止形成物（ｉｎｔｅｒｆｉｔｔｉｎｇ  ｌｏｃｋｉｎｇ  ｆｏｒｍａｔｉｏｎ）（フック）１４４Ａ、１４４Ｂを含む。
【００３５】
取付けレール１０４および装着レール１０６は、ポリマー材料、金属または両方から作られ、取付けレール１０４に対する装着レール１０６の自由な移動を可能にする低摩擦被覆物または添加物を含む。チャネル１３２、１３４の深さは、取付けレール１０４の中心線から内向きにかつ外向きに自由に摺動するために装着レール１０６の所望の能力に応じて可変である。装着レール１０６はまた、チャネル１３２、１３４の長さに沿って長手方向に摺動することもできる。チャネル１３２、１３４の高さもまた、可変であり、移動を可能にするために十分緩くなければならないが、しかしまた装着レール１０６がチャネル１３２、１３４内に捕捉されたままであることを確実にするために十分きつくもなければならない。チャネル１３２、１３４の上部壁は、装着レール１０６が所定の位置にスナップばめされることを可能にするために十分薄い（ある程度の柔軟性）が、しかし据え付け中の破損を防止するために十分厚くなければならない。保持「歯」または「フック」１４４の形状は、添付された説明図によって限定されるべきでないこともまた留意されたい。嵌合部品の他の形状および構成もまた、本発明の範囲内である。さらに、保持「フック」１４４をＰＶパネルの側縁部に直接機械加工し、装着レール１０６の必要性を完全に解消してもよいことが企図されている。
【００３６】
図７を参照すると、本システムの端面図は、システムが典型的には埋立地ジオメンブレン１０上に配置されてもよいように示される。孤立取付け台１０２は、必要とされる通りに間隔をあけられ、接合リング１１６を使ってジオメンブレン１０に固定される。その後、取付けレール１０４は、平行に孤立取付け台１０２に固定される。取付けレール１０４での穴／スロットは、孤立取付け台１０２と整列させられ、締結具１１４が、その穴／スロットを通って挿入され、孤立取付け台１０２に固定される。図７で見られるように、取付けレール１０４は、メンブレン１０の上に持ち上げられる。装着レール１０６は、工場でまたは施工現場（ｓｔａｇｉｎｇ  ｓｉｔｅ）においてＰＶパネル１００に装着される。ＰＶパネル１００は次いで、ＰＶパネル１００を所定の位置に保持するために平行レール１０４の取付けチャネル１３２、１３４にスナップばめされる。ＰＶアレイをメンブレン１０の上に持ち上げることは、どんな理由に起因するにしても、メンブレン１０の移動、すなわち膨張、収縮移動をアレイから分離する。孤立取付け台１０２は、結果として生じるどんな移動も軽減する。ＰＶアレイを持ち上げることはまた、空気がアレイの下を自由に流れることも可能にして、パネル１００および下にあるメンブレン１０をより冷たく保つことに役立つ。
【００３７】
システムへの風の応力を低減するために、Ｌ字形風遮蔽板１４６（図８および図９を参照のこと）が、提供され、アレイの最外部取付けレール１０４と組み立てられる。例となる実施形態では、風遮蔽板１４６は、取付けレール１０４での外側取付けチャネル１３４に受け入れられる保持タブ部１４８、および空気の流れ１５２をアレイの上方へかつ越えて向け直すために外向きにかつ下方に延びる遮蔽部１５０を有する。風遮蔽板１４６はまた、外側縁部として使用されるだけとなるトラックの代替設計物（図示されず）に直接成形されることもできる。
【００３８】
隣接パネル１００間の配線（図示されず）および制御システム（図示されず）への配線は、持ち上げられたパネル１００の下に供給されてもよく、または取付けレール１０４と一緒にスナップばめされる導管（図示されず）中に固定されてもよい。
【００３９】
図１０で例示されるように、取付けシステムはさらに、向かい合った取付けチャネル１３２、１３４を含みかつ取付けレール１０４の片側から下方に延びるＪ字形ワイヤ管理チャネル１５４をさらに含む別個のワイヤ管理レール１０４Ａを含んでもよい。配線は、Ｊ字形チャネル１５４のフック部内に受け入れられてもよい。
【００４０】
例示される実施形態は、パネル１００およびトラック１０４の２つの隣接行だけを表すことに留意されたいが、しかし本システムは、メンブレン１０または他の基板の空間内に不定数の行を実装するように拡張されてもよいことが、理解されるべきである。
【００４１】
パネル１００の不具合またはパネル１００への損傷がある場合は、単にインサート１０６をトラック１０４からぱちんと取り外し、配線を切り離し、次いで損傷を受けたパネル１００を別の新しいパネルと交換することだけによって単一パネル１００を本システムから除去することは、非常に簡単である。
【００４２】
したがって、本発明は、安価であり、据え付けることが容易であり、パネルおよびメンブレンの相対移動を可能にし、それ故にＰＶパネルおよびメンブレンの両方への損傷を低減することになり、必要なときにＰＶパネルが容易に再構成され、除去されまたは交換されることを可能にすることになる、ＰＶアレイのための取付けシステムを提供することがわかる。
【００４３】
本発明を具体化するある特定の構造が、本明細書で示されかつ述べられるが、部品の様々な変更および再構成が、根底にある発明概念の趣旨および範囲から逸脱することなく行われてもよく、同じことが、添付の請求項の範囲によって示される場合を除いて、本明細書で示されかつ述べられる特定の形に限定されないことは、当業者には明らかであろう。
【図１】
2014529697.tif 000003
【図２】
2014529697.tif 000004
【図３】
2014529697.tif 000005
【図４】
2014529697.tif 000006
【図５】
2014529697.tif 000007
【図６】
2014529697.tif 000008
【図７】
2014529697.tif 000009
【図８】
2014529697.tif 000010
【図９】
2014529697.tif 000011
【図１０】
2014529697.tif 000012
【図１１Ａ】
2014529697.tif 000013
【図１１Ｂ】
2014529697.tif 000014
【図１１Ｃ】
2014529697.tif 000015
【図１２】
2014529697.tif 000016
【国際調査報告】
2014529697.tif 000017